(57)【要約】【課題】ピグテールファイバの冗長を容易かつ自在に調節でき、通信機器への実装やピグテールファイバの取り回しが便利である光送受信器を提供することにある。【解決手段】ピグテールファイバ５ｔ，５ｒを備えた光送受信器１において、筐体２内にピグテールファイバ５ｔ，５ｒを保持する進退自在なファイバ保持部材７ａ〜７ｄを設け、筐体２外からピグテールファイバ５ｔ，５ｒを引っ張りあるいは引き戻すことにより、ファイバ保持部材７ａ〜７ｄが進退し、ピグテールファイバ５ｔ，５ｒの冗長を調節するものである。【選択図】　　　図１
2004138725.tif 000002
【特許請求の範囲】
【請求項１】
ピグテールファイバを備えた光送受信器において、筐体内に上記ピグテールファイバを保持する進退自在なファイバ保持部材を設け、上記筐体外から上記ピグテールファイバを引っ張りあるいは引き戻すことにより、上記ファイバ保持部材が進退し、上記ピグテールファイバの冗長を調節することを特徴とする光送受信器。
【請求項２】
上記ファイバ保持部材は、ファイバ収納時に筐体の内壁に向かって後退し、ファイバ引き出し時に筐体の中央に向かって進出する請求項１記載の光送受信器。
【請求項３】
上記ファイバ保持部材は、上記ピグテールファイバが巻き掛けられる保持部材本体と、その保持部材本体を上記筐体の内壁方向に付勢するバネと、上記保持部材本体を進退方向に案内する溝とからなる請求項１または２記載の光送受信器。
【請求項４】
上記筐体のファイバ取り出し口の近傍に、引き出したピグテールファイバを戻らないように固定する固定部材を設けた請求項１〜３いずれかに記載の光送受信器。
【発明の詳細な説明】
【０００１】
【発明の属する技術分野】
本発明は、ピグテールファイバを備えた光送受信器に関するものである。
【０００２】
【従来の技術】
従来の光送受信器は、筐体内に備えられたＬＤ（半導体レーザ）の出力端子およびＰＤ（フォトダイオード）の入力端子に、ピグテールファイバがそれぞれ接続されており、常時、双方のピグテールファイバがほぼ全長に亘って筐体の外に露出した構造となっている。ピグテールファイバとは、光コネクタ付きの光ファイバである。
【０００３】
この光送受信器は、通信機器内に備えられ、各ピグテールファイバを伝送路としての光ファイバの一端にそれぞれ接続することで、その光ファイバの他端に接続された別の光送受信器と光信号を送受信するようになっている。
【０００４】
【発明が解決しようとする課題　】
しかしながら、従来の光送受信器では、各ピグテールファイバが筐体の外に露出しているので、各ピグテールファイバの冗長を調節できないという問題がある。
【０００５】
また、各ピグテールファイバが通信機器や部品に当たったり、各ピグテールファイバ同士が絡んだりする場合がある。その場合、ファイバの断線や損傷を引き起こすので、通信機器への実装やファイバの取り回しの際に不便であるという問題もある。
【０００６】
そこで、本発明の目的は、ピグテールファイバの冗長を容易かつ自在に調節でき、通信機器への実装やピグテールファイバの取り回しが便利である光送受信器を提供することにある。
【０００７】
【課題を解決するための手段】
本発明は上記目的を達成するために創案されたものであり、請求項１の発明は、ピグテールファイバを備えた光送受信器において、筐体内に上記ピグテールファイバを保持する進退自在なファイバ保持部材を設け、上記筐体外から上記ピグテールファイバを引っ張りあるいは引き戻すことにより、上記ファイバ保持部材が進退し、上記ピグテールファイバの冗長を調節する光送受信器である。
【０００８】
請求項２の発明は、上記ファイバ保持部材は、ファイバ収納時に筐体の内壁に向かって後退し、ファイバ引き出し時に筐体の中央に向かって進出する請求項１記載の光送受信器である。
【０００９】
請求項３の発明は、上記ファイバ保持部材は、上記ピグテールファイバが巻き掛けられる保持部材本体と、その保持部材本体を上記筐体の内壁方向に付勢するバネと、上記保持部材本体を進退方向に案内する溝とからなる請求項１または２記載の光送受信器である。
【００１０】
請求項４の発明は、上記筐体のファイバ取り出し口の近傍に、引き出したピグテールファイバを戻らないように固定する固定部材を設けた請求項１〜３いずれかに記載の光送受信器である。
【００１１】
【発明の実施の形態】
以下、本発明の好適実施の形態を添付図面にしたがって説明する。
【００１２】
図１は、本発明の好適実施の形態である光送受信器のファイバ収納時の内部構成を示す平面図である。図２は、図１に示した光送受信器のファイバ引き出し時の内部構成を示す平面図である。
【００１３】
ファイバ収納時は、例えば、未使用時あるいは製品出荷時である。ファイバ引き出し時は、例えば、使用時である。
【００１４】
図１および図２に示すように、本発明に係る光送受信器（光トランシーバ）１は、主として伝送速度が数Ｇｂｐｓ以上の高速の光通信に使用され、例えば、スイッチングハブやメディアコンバータなどの通信機器内に備えられて用いられる。
【００１５】
光送受信器１は、筐体２内に備えられたＬＤ３の出力端子およびＰＤ４の入力端子に、ピグテールファイバ５ｔ，５ｒの一端がそれぞれ接続されており、ファイバ収納時、双方のピグテールファイバ５ｔ，５ｒがほぼ全長に亘って筐体２内に収納された構造となっている。各ピグテールファイバ５ｔ，５ｒの他端には光コネクタ６ｔ，６ｒが接続されている。ファイバ収納時には、これら光コネクタ６ｔ，６ｒのみが筐体２外に露出している。
【００１６】
筐体２としては、例えば、上下に二分割された放熱性が高い平面視で略矩形状の金属ケースを使用しており、それぞれ若干の厚みがある下側のベースと上側のカバーとからなっている。図１ではベースのみを描いているが、このベースにカバーを上から被せると、筐体２内に各部品が収納されて保護される。以下の説明では、筐体２はベースを指すものとする。
【００１７】
この光送受信器１は、筐体２内の角部Ｃ近傍に双方のピグテールファイバ５ｔ，５ｒを保持する進退自在なファイバ保持部材７ａ〜７ｄをそれぞれ設けている。
【００１８】
各ファイバ保持部材７ａ〜７ｄは、双方のピグテールファイバ５ｔ，５ｒが巻き掛けられる保持部材本体８と、保持部材本体８を筐体２の内壁ｗ方向に付勢するバネ９と、保持部材本体８を進退方向に案内する溝１０とからなっている。
【００１９】
図１および図２では、電子部品としてはＬＤ３とＰＤ４のみ描いているが、これら電子部品は図示しない基板に搭載されている。この基板は、例えば、各ファイバ保持部材７ａ〜７ｄよりも高い位置となる筐体２内に備えるようにしている。
【００２０】
各ファイバ保持部材７ａ〜７ｄの構成を、図１および図２に加え、図３、図４（ａ），（ｂ）を用いてより詳細に説明する。以下では、いずれのファイバ保持部材も同じ構成なので、ファイバ保持部材７ａを例にとって説明する。
【００２１】
図３は、ファイバ保持部材７ａの動作を説明する平面図である。図４（ａ）は、図３のＡ方向から見た矢視図である。図４（ｂ）は、図３のＢ方向から見た矢視図である。
【００２２】
図１〜図４（ａ），（ｂ）に示すように、保持部材本体８は、全体が略半円柱状に形成されており、内面Ｉが溝１０の長手方向に対して垂直となるように、かつ外周面Ｏが角部Ｃと対向するように配置されている。この外周面Ｏに双方のピグテールファイバ５ｔ，５ｒが巻き掛けられる。よって外周面Ｏの周方向の曲率半径あるいは曲面形状は、外周面Ｏにピグテールファイバ５ｔ，５ｒを巻き掛けた際、ピグテールファイバ５ｔ，５ｒをキンクさせないようにしている。また、外周面Ｏの高さ方向は凹面状に形成されており、巻き掛けたピグテールファイバ５ｔ，５ｒが保持部材本体８から外れにくくなるようにしている。
【００２３】
保持部材本体８の中心部には軸１１が一体形成されている。角部Ｃの中心部にも軸１２が形成されている。軸１１の上部Ｕにバネ９の一端を取り付け、軸１２にバネ９の他端を取り付けることで、軸１１，１２同士をバネで連結し、保持部本体８が角部Ｃ方向に常時付勢されるようにする。バネ９としては、例えばコイルバネを用いるとよい。軸１１の下部Ｄは、溝１０から保持部材本体８が外れずに進退できるように、断面が略Ｔ字状に形成されている。角部Ｃには負荷がかかるので、角部Ｃは筐体２内側に張り出すように略扇形状に形成されている。
【００２４】
溝１０は、筐体２の底面に平面視で長穴状に、かつ溝１０の短手方向の断面が略Ｔ字状に形成されている。溝１０と筐体２の長手方向および短手方向とのつくる角度は、例えば４５°にしている。また、溝１０の長さの範囲内で各ファイバ保持部材７ａ〜７ｄが進退するので、溝１０はピグテールファイバ５ｔ，５ｒを過剰に引っ張ったり引き戻したりすることを防ぐストッパーの役目も果たしている。
【００２５】
通常、光コネクタ６ｔ，６ｒは、後述するファイバ取り出し口１３ｔ，１３ｒよりも大きいので、本実施の形態では、ピグテールファイバ５ｔ，５ｒを引き戻す際のストッパーとして光コネクタ６ｔ，６ｒを用いている。
【００２６】
以上の構成により、ファイバ保持部材７ａの保持部材本体８は、ファイバ収納時に矢印Ｃ１方向に後退し（図３中の一点鎖線）、ファイバ引き出し時に矢印Ｃ２方向に進出する（図３中の点線）ことが可能になる。
【００２７】
また、図１および図２に示すように、筐体２の前面Ｆには、ファイバ取り出し口１３ｔ，１３ｒが形成されている。ファイバ取り出し口１３ｔ，１３ｒの両側となる筐体２の前縁面ＦＥ上には、引き出したピグテールファイバ５ｔ，５ｒをそれぞれ戻らないように固定する固定部材としての回動可能なカム１４ａ，１４ｂがそれぞれ取り付けられている。
【００２８】
各カム１４ａ，１４ｂは、例えば略扇形状に形成されている。本実施の形態では、ピグテールファイバ５ｔ，５ｒを手動固定する例で説明するので、各カム１４ａ，１４ｂは、その回動の中心部がネジ１５ａ，１５ｂによって筐体２の前縁面ＦＥ上に固定されている。
【００２９】
各カム１４ａ，１４ｂは、図５（ａ）に示すようなファイバ開放時（図１のファイバ収納時、あるいはピグテールファイバ５ｔを引っ張ったり引き戻したりする際）、ピグテールファイバ５ｔを介して双方のカム１４ａ，１４ｂの円弧面Ｒ，Ｒが対向するような位置でネジ１５ａ，１５ｂを締めることで、筐体２の前縁面ＦＥ上に固定される。このとき、カム１４ａ，１４ｂ間にピグテールファイバ５ｔの径よりも大きい隙間があるので、ピグテールファイバ５ｔは開放される。
【００３０】
一方、各カム１４ａ，１４ｂは、図５（ｂ）に示すようなファイバ固定時（図２のファイバ引き出し時）、ピグテールファイバ５ｔを手で押さえながらネジ１５ａ，１５ｂを緩め、双方のカム１４ａ，１４ｂをそれぞれネジ１５ａ，１５ｂを中心にして４５°水平に回動させた後、ネジ１５ａ，１５ｂを締めることで筐体２の前端面Ｆ上に固定される。
【００３１】
このとき、双方のカム１４ａ，１４ｂの円弧面Ｒ，Ｒの端部がピグテールファイバ５ｔの両側を挟んで保持するので、ピグテールファイバ５ｔは固定され、各ファイバ保持部材のバネの弾性力によって筐体２内に引き戻されることはない。ピグテールファイバ５ｒについても同じである。
【００３２】
また、図１および図２に示すように、筐体２の底面の中央部には、ファイバ保持部材７ａ〜７ｄに巻き掛けられたピグテールファイバ５ｔ，５ｒをファイバ取り出し口１３ｔ，１３ｒにそれぞれ案内する案内部材１６ｔ，１６ｒが取り付けられている。案内部材１６ｔ，１６ｒは、例えば略円柱状に形成されている。案内部材１６ａ，１６ｂは、ピグテールファイバ５ｔ，５ｒをキンクさせない位置に配置されている。この案内部材１６ｔ，１６ｒにより、ピグテールファイバ５ｔ，５ｒの引っ張りあるいは引き戻しをよりスムーズに行うことができる。
【００３３】
ここで、ピグテールファイバ５ｔの巻き掛け方法の一例を説明する。
【００３４】
まず、ＬＤ３からのピグテールファイバ５ｔの一端側を左上のファイバ保持部材７ｄに巻き掛け、順次ファイバ保持部材７ａ〜７ｃに左巻きに巻き掛けていく。二周目からはピグテールファイバ５ｔ同士が高さ方向に重なるように各ファイバ保持部材７ａ〜７ｄに巻き掛けていく。このとき、巻き掛けられたピグテールファイバ５ｔは略矩形状となる。ピグテールファイバ５ｔを所定長さ巻き掛けたら、右上のファイバ保持部材７ｃから引き回して左側の案内部材１６ｔに巻き掛け、左側のファイバ取り出し口１３ｔからピグテールファイバ５ｔの他端側を取り出す。
【００３５】
同様にＰＤ４からのピグテールファイバ５ｒについては、右上のファイバ保持部材７ｃから順次右巻きに巻き掛けていけばよい。
【００３６】
本実施の形態の作用を説明する。
【００３７】
光送受信器１は、製品出荷時あるいは未使用時、各ファイバ保持部材７ａ〜７ｄの保持部材本体８が、バネ９の復元力によって筐体２内の角部Ｃの内壁ｗ方向に後退しているので、双方のピグテールファイバ５ｔ，５ｒがほぼ全長に亘って筐体２内に収納されている（図１の状態）。このとき、カム１４ａ，１４ｂは、図５（ａ）で説明したファイバ開放時の状態にしておく。
【００３８】
まず、光送受信器１を使用するファイバ引き出し時、双方のピグテールファイバ５ｔ，５ｒを手で同時に引っ張ると、各ファイバ保持部材７ａ〜７ｄの保持部材本体８が、溝１０にそれぞれ案内されて筐体２の中央に向かって同時に進出するので、筐体２内に収納されていた双方のピグテールファイバ５ｔ，５ｒが筐体２外へ引き出される。用途に応じた所望長のピグテールファイバ５ｔ，５ｒを引き出したら、カム１４ａ，１４ｂを図５（ｂ）で説明したファイバ固定時の状態にし、双方のピグテールファイバ５ｔ，５ｒを固定する（図２の状態）。
【００３９】
これとは逆に、光送受信器１を使用しないファイバ収納時、双方のピグテールファイバ５ｔ，５ｒを手で押さえた上で、カム１４ａ，１４ｂを図５（ａ）で説明したファイバ開放時の状態にする。ここで双方のピグテールファイバ５ｔ，５ｒを手で押さえつつ力を緩めると、各ファイバ保持部材７ａ〜７ｄの保持部材本体８が、バネ９の復元力によって筐体２内の角部Ｃの内壁ｗ方向に同時に後退するので、筐体２外へ引き出されていた双方のピグテールファイバ５ｔ，５ｒが徐々に筐体２内へ引き戻され、筐体２内へ収納される（図１の状態）。
【００４０】
これにより、双方のピグテールファイバ５ｔ，５ｒの冗長（筐体２の外に露出する長さ）を、その用途に応じて容易かつ自在に調節できる。
【００４１】
このように、本発明に係る光送受信器１は、筐体２内に双方のピグテールファイバ５ｔ，５ｒを保持する進退自在なファイバ保持部材７ａ〜７ｄを設けており、筐体２外から双方のピグテールファイバ５ｔ，５ｒを引っ張りあるいは引き戻すことで、各ファイバ保持部材７ａ〜７ｄが同時に進退するので、双方のピグテールファイバ５ｔ，５ｒの冗長をその用途に応じて容易かつ自在に調節できる。
【００４２】
したがって、製品出荷時や未使用時には双方のピグテールファイバ５ｔ，５ｒのほぼ全長を筐体２内に収納でき、使用時には必要な分だけ筐体２外へ引き出すことができるので、通信機器への実装やピグテールファイバ５ｔ，５ｒの取り回しが非常に便利である。
【００４３】
光送受信器１では、筐体２内の角部Ｃの近傍に４個のファイバ保持部材７ａ〜７ｄを設けているので、筐体２内のスペースを有効に利用でき、しかもかなりの長さのピグテールファイバ５ｔ，５ｒを筐体２内に収納できる。
【００４４】
上記実施の形態では、筐体２内に４個のファイバ保持部材７ａ〜７ｄを設けた例で説明したが、ファイバ保持部材は少なくとも１個以上であればよい。各ファイバ保持部材７ａ〜７ｄは、筐体２内の角部Ｃ近傍に設けなくてもよく、筐体２の内壁近傍であればいかなる箇所に設けてもよい。
【００４５】
【発明の効果】
以上説明したことから明らかなように、本発明によれば、次のような優れた効果を発揮する。
【００４６】
（１）ピグテールファイバの冗長を容易にかつ自在に調節できる。
【００４７】
（２）通信機器への実装やピグテールファイバの取り回しが非常に便利である。
【図面の簡単な説明】
【図１】本発明の好適実施に形態（ファイバ収納時）の内部構成を示す平面図である。
【図２】図１に示した光送受信器のファイバ引き出し時の内部構成を示す平面図である。
【図３】ファイバ保持部材の動作を説明する平面図である。
【図４】図４（ａ）は、図３のＡ方向から見た矢視図である。図４（ｂ）は、図３の方向から見た矢視図である。
【図５】図５（ａ）は、ファイバ開放時の固定部材の平面図である。図５（ｂ）は、ファイバ固定時の固定部材の平面図である。
【符号の説明】
１　光送受信器
２　筐体
５ｔ，５ｒ　ピグテールファイバ
７ａ〜７ｄ　ファイバ保持部材
８　保持部材本体
９　バネ
１０　溝
１４ａ，１４ｂ　カム（固定部材）
【図１】
2004138725.tif 000003
【図２】
2004138725.tif 000004
【図３】
2004138725.tif 000005
【図４】
2004138725.tif 000006
【図５】
2004138725.tif 000007